【手続補正書】
【提出日】平成24年10月15日(2012.10.15)
【手続補正１】
【補正対象書類名】明細書
【補正対象項目名】００３０
【補正方法】変更
【補正の内容】
【００３０】
図３は、本願発明に係るサンプル液導管１３およびサンプルチューブ１７の下端部を示す一部拡大断面図である。図３（ａ）および（ｂ）に示すように、このサンプル液導管１３は、その下端部において狭窄部１３ａを設けることにより、サンプル液導管１３およびサンプルチューブ１７の液密封止性を改善し、サンプルチューブ１７をフローチャンネル１５の中心軸ＣＦに位置合わせすることを支援するようにしてもよい。また図３（ｃ）に示すように、下流側のサンプル液チューブ１７の先端部の内径を大きくすることにより、サンプル液導管の先端部から放出される細胞粒子の速度を半径方向の位置によらず一定となるようにしてもよい。
【手続補正２】
【補正対象書類名】明細書
【補正対象項目名】００３８
【補正方法】変更
【補正の内容】
【００３８】
図５は、本願発明に係る流体フロー形成ブロック１０のフローチャンネル１５およびノズルプレート２２の一部を拡大した部分拡大断面図である。ノズルプレート２２は、ストローブブロック２０に対し高精度に位置決めできる構造を有しているので、ノズル嵌合精度を向上することができる。ただし上述のように、ノズルプレート２２（またはストローブブロック２０）は、Ｏリング２７ａまたは位置決めピンを用いて位置合わせして液密封止されるが、約±３０μｍの機械的な位置合わせ公差（ｄ）が生じてしまう。
【手続補正３】
【補正対象書類名】明細書
【補正対象項目名】００４４
【補正方法】変更
【補正の内容】
【００４４】
択一的には、本願発明に係る流体フロー形成ブロック１０は、図６に示すように、その周囲にこれを保持するためのブロックホルダ２８を有していてもよい。ブロックホルダ２８は、流体フロー形成ブロック１０の外径とほぼ同じ内径を有してなり、流体フロー形成ブロック１０を嵌合するように保持するものである。またブロックホルダ２８は、Ｏリング２７ａを介して流体フロー形成ブロック１０と液密にかつ着脱可能に固定され、別のＯリング２７ｂを介してノズルプレート２２と液密にかつ着脱可能に固定されている。さらに、ブロックホルダ２８は、フローチャンネル１５の吐出口１８とノズルプレート２２の受容口２３との間に延びる連通路２９を有し、連通路２９の所定断面における開口距離（Ｌ）が吐出口１８および受容口２３と同一であるように構成されている。このように構成した流体フロー形成ブロック１０も同様に、フローチャンネル中心軸ＣＦとジェットフロー中心軸ＣＪの間に公差（ｄ）の位置ずれが生じたとしても、各細胞粒子Ｐをジェットフロー中心軸ＣＪに沿って精緻に配置するとともに、その速度を一定に維持して（悪影響を与えることなく）、分析精度および分別精度を良好に維持することができる。
【手続補正４】
【補正対象書類名】明細書
【補正対象項目名】００４５
【補正方法】変更
【補正の内容】
【００４５】
なお、とりわけ流体フロー形成ブロック１０が石英ガラス等で形成されている場合、Ｏリング２７ａを介して、ブロックホルダ２８等を流体フロー形成ブロック１０に着脱することにより、着脱時の衝撃により流体フロー形成ブロック１０が破損する（クラックが入る）ことを防止することができる。
【手続補正５】
【補正対象書類名】明細書
【補正対象項目名】００４６
【補正方法】変更
【補正の内容】
【００４６】
また図２に示すように、またはストローブブロック２０は、ソートチャンバ３０に対して上下方向に移動させることにより、ソートチャンバ３０に着脱自在に固定されるが、ストローブブロック２０は、下方に移動したとき、ソートチャンバ３０との隙間を埋める袴状カバー（図示せず）を有している。ストローブブロック２０が下方に移動した場合には袴状カバーは、ソートチャンバ３０内に入り込む構造を有する。こうしてストローブブロック２０とソートチャンバ３０の密閉構造を実現でき、エアロゾルの発生を防ぐことができ、気流が変化することを防止し、ジェットフローＪＦおよび液滴Ｄの流れを安定させることができる。
【手続補正６】
【補正対象書類名】明細書
【補正対象項目名】００５１
【補正方法】変更
【補正の内容】
【００５１】
したがって、本願発明に係るコレクションチューブホルダ４２は取り外しが容易であるので、サンプル液を交換する際、または定期的な清浄過程において、コレクションチューブ４０またはコレクションチューブホルダ４２に付着した感染症のリスクを伴う細胞粒子Ｐを確実に排除し、完全な無菌状態に維持することができる。
【手続補正７】
【補正対象書類名】特許請求の範囲
【補正対象項目名】全文
【補正方法】変更
【補正の内容】
【特許請求の範囲】
【請求項１】
液体フローに含まれる細胞粒子を分析するシステムであって、
サンプル液導管を受容するフローチャンバ、およびフローチャンネルを含むフローセルを構成する流体フロー形成ブロックと、
流体フロー形成ブロックから噴出されるジェットフローおよび複数の液滴の所定領域における画像を撮像する撮像部を有するストローブブロックとを備え、
流体フロー形成ブロックおよびストローブブロックは、着脱自在に固定されることを特徴とするシステム。
【請求項２】
ストローブブロックは、受容口とノズルとの間に延びるノズルチャンネルを含むノズルプレートを有し、
フローチャンネルは、受容口に対向する吐出口と、フロー方向に垂直な所定の断面が該吐出口に向かって拡大するチャンネル拡大部とを有し、
フローチャンネルの吐出口およびノズルプレートの受容口の前記所定断面における開口距離（Ｌ）が実質的に同じであることを特徴とする請求項１に記載のシステム。
【請求項３】
ノズルチャンネルは、フロー方向に垂直な所定の断面が受容口からノズルに向かって縮小するチャンネル縮小部を有することを特徴とする請求項２に記載のシステム。
【請求項４】
ノズルプレートが流体フロー形成ブロックに着脱可能に固定されるとき、流体フロー形成ブロックの吐出口がノズルプレートの受容口に対して所定の公差（ｄ）内で位置合わせされ、
開口距離（Ｌ）は、前記公差（ｄ）の１０倍以上であることを特徴とする請求項２に記載のシステム。
【請求項５】
開口距離（Ｌ）は約０．３ｍｍ以上であることを特徴とする請求項２に記載のシステム。
【請求項６】
サンプル液導管は、フローチャンネル中心軸に沿って配置され、その内部に延びる着脱可能に固定されるサンプルチューブを有することを特徴とする請求項１に記載のシステム。
【請求項７】
流体フロー形成ブロックを着脱自在に保持し、ストローブブロックに着脱自在に固定されるブロックホルダを有し、
ブロックホルダはフローチャンネルの吐出口とストローブブロックの受容口との間に延びる連通路を有し、該連通路は所定断面における開口距離（Ｌ）が吐出口および受容口と実質的に同じであることを特徴とする請求項２に記載のシステム。
【請求項８】
フローチャンネルに流れる液体フローに含まれる細胞粒子に励起光を照射する光源を有し、
流体フロー形成ブロックは、フローチャンネルに対向するように配置された半球面状または半非球面状の第１の集光レンズを有し、第１の集光レンズは細胞粒子からの蛍光を平行光に変換することを特徴とする請求項１に記載のシステム。
【請求項９】
流体フロー形成ブロックは、第１の集光レンズにより平行光に変換された蛍光を光ファイバに集光する第２の集光レンズを有し、
第２の集光レンズは、第１の集光レンズより大きい直径を有することを特徴とする請求項８に記載のシステム。
【請求項１０】
流体フロー形成ブロックに着脱自在に固定され、流体フロー形成ブロックに所定の周波数の振動を与える振動器を有することを特徴とする請求項１に記載のシステム。
【請求項１１】
振動器は、ドーナツ形状を有することを特徴とする請求項１０に記載のシステム。
【請求項１２】
直流電圧が印加される一対の偏向板を含むソートチャンバをさらに備え、
ソートチャンバは、流体フロー形成ブロックおよびストローブブロックに対して着脱自在に固定されることを特徴とする請求項１に記載のシステム。
【請求項１３】
一対の偏向板は、ソートチャンバに対して着脱自在に固定されることを特徴とする請求項１２に記載のシステム。
【請求項１４】
ソートチャンバは、偏向板をソートチャンバから取り外した後にストローブブロックに対して取り外されることを特徴とする請求項１２に記載のシステム。
【請求項１５】
ストローブブロックは、ソートチャンバに取り付けられたときに、これらの間の隙間を埋めるために配置された袴状カバーを有することを特徴とする請求項１２に記載のシステム。
【手続補正８】
【補正対象書類名】図面
【補正対象項目名】図３
【補正方法】変更
【補正の内容】
【図３】
2011232033.tif 000001